(57)【要約】【課題】ガラスで形成された農業用ハウスの屋根面や壁面を、ガラスを嵌め込んだガラス固定フレームで構成したガラス農業用ハウスの断熱性を向上させて、省エネルギー化を図った農業用ハウスの断熱構造を提供するものである。【解決手段】ガラス固定フレーム２でガラス６を支持して屋根面や壁面を構成した農業用ハウスの、前記ガラス固定フレーム２の隣接するガラスを支持するＴ形状のガラス押え部５に、これと嵌合する連結部１１と、この連結部１１の上部に一体に形成され上部を開口したフイルム固定部１２とからなるフイルム固定レール１０を接続して、ここに透明なプラスチックフイルム１２を張り渡してフイルム層１６を形成し、前記ガラス６とフイルム層１６との間に断熱空間部１７を形成したものである。    【選択図】  図１
0003147733.tif 000002
【実用新案登録請求の範囲】
【請求項１】
ガラス固定フレームでガラスを支持して屋根面や壁面を構成した農業用ハウスの、前記ガラス固定フレームの隣接するガラスを支持するＴ形状のガラス押え部に、これと嵌合する連結部と、この連結部の上部に一体に形成され上部を開口したフイルム固定部とからなるフイルム固定レールを接続して、ここに透明なプラスチックフィルムを張り渡してフイルム層を形成し、前記ガラスとフイルム層との間に断熱空間部を形成したことを特徴とする農業用ハウスの断熱構造。
【請求項２】
請求項１記載の農業用ハウスの断熱構造において、更にガラスとフイルム層との間に下層の断熱空間部を形成した下段のフイルム固定レールの上に、上段のフイルム固定レールを重ねてビスで固定し、この上段のフイルム固定レールのフイルム固定部に、透明なプラスチックフイルムを面状に張り渡して、下段のフイルム層と上段のフイルム層との間に上層の断熱空間部を形成して、２層の断熱空間部としたことを特徴とする農業用ハウスの断熱構造。
【請求項３】
Ｔ形状のガラス押え部と、フイルム固定部とを一体に形成したフイルム固定レールが、アルミニウムで押出し成型されていることを特徴とする請求項１または２記載の農業用ハウスの断熱構造。
【考案の詳細な説明】
【技術分野】
【０００１】
本考案は、ガラスで形成された農業用ハウスの断熱構造の改良に関するものである。
【背景技術】
【０００２】
一般にハウス栽培を行なうガラス農業用ハウスは、鉄骨で家形のフレームを組み、この屋根面や壁面を、ガラスを嵌め込んだガラス固定フレームで構成した構造をなしている。このガラス農業用ハウスは、フイルムで構成されたハウスに比べて強固に構成され、耐久性に優れているので、降雪地帯で屋根に雪が積もっても倒壊しない利点がある。
【０００３】
しかしながら寒冷地にあるガラス構造の農業用ハウスでは、暖められたハウス内の空気が上昇して、外気と接するとガラスから放熱するため暖房効果が低下し、またガラスの内面で結露が発生して、太陽光線の入射が妨げられる問題があった。このため農業用ハウスの天井側にカーテンを設け、屋根ガラスとカーテンとの間に断熱空間部層を形成して、ハウス内の断熱効果を高めて省エネルギー化を図ることも行なわれている。またフイルムで構成された農業用ハウスではフイルムを２層に張り渡してこの間に断熱空間部を形成することも行なわれている（特許文献１）。
【特許文献１】特許第２６２７７６１号公報
【考案の開示】
【考案が解決しようとする課題】
【０００４】
本考案は上記問題を改善し、ガラスで形成された農業用ハウスの屋根面や壁面を、ガラスを嵌め込んだガラス固定フレームで構成したガラス農業用ハウスの断熱性を向上させて、省エネルギー化を図った農業用ハウスの断熱構造を提供するものである。
【課題を解決するための手段】
【０００５】
本考案の請求項１記載の農業用ハウスの断熱構造は、ガラス固定フレームでガラスを支持して屋根面や壁面を構成した農業用ハウスの、前記ガラス固定フレームの隣接するガラスを支持するＴ形状のガラス押え部に、これと嵌合する連結部と、この連結部の上部に一体に形成され上部を開口したフイルム固定部とからなるフイルム固定レールを接続して、ここに透明なプラスチックフィルムを張り渡してフイルム層を形成し、前記ガラスとフイルム層との間に断熱空間部を形成したことを特徴とするものである。
【０００６】
本考案の請求項２記載の農業用ハウスの断熱構造は、請求項１において、更にガラスとフイルム層との間に下層の断熱空間部を形成した下段のフイルム固定レールの上に、上段のフイルム固定レールを重ねてビスで固定し、この上段のフイルム固定レールのフイルム固定部に、透明なプラスチックフイルムを面状に張り渡して、下段のフイルム層と上段のフイルム層との間に上層の断熱空間部を形成して、２層の断熱空間部としたことを特徴とするものである。
【０００７】
本考案の請求項３記載の農業用ハウスの断熱構造は、請求項１または２において、Ｔ形状のガラス押え部と、フイルム固定部とを一体に形成したフイルム固定レールが、アルミニウムで押出し成型されていることを特徴とするものである。
【考案の効果】
【０００８】
本考案に係る請求項１記載の農業用ハウスの断熱構造によれば、屋根面や壁面のガラスとフイルムとの間に断熱空間部を形成したので、気温の低い冬期間においても断熱効果が優れ、従来のガラス農業用ハウスに比べて暖房用の燃料を５０％以上低減させて省エネルギー化を図ることができる。また断熱空間部が形成されているので、フイルムの内面での結露の発生が少なくなり、太陽光線の入射が妨げられにくく朝方の温度上昇が速くなる。また気温の高い夏季でも断熱効果が優れており、小型の冷房機器を設置しても十分な冷房効果が得られ、いちごやランなどを採算の取れる経費で栽培することが可能である。また既設のガラス農業用ハウスにも、ガラス固定フレームにフイルム固定レールを取付けるだけで簡単にフイルムを張り渡して断熱空間部を形成するとことができる。
【０００９】
請求項２記載の農業用ハウスの断熱空間構造によれば、下層の断熱空間部と上層の断熱空間部の２層の断熱空間部を形成したので更に断熱性を向上させることができる。
【００１０】
請求項３記載の農業用ハウスの断熱空間構造によれば、フイルム固定レールがアルミニウムの押出材で一体に成型されているので製造が容易である上、軽量なので施工作業が容易である。
【考案を実施するための最良の形態】
【００１１】
以下本考案の実施の一形態を図１を参照して詳細に説明する。先ず図１に示すように、屋根フレーム１の上に、これと直交して所定の間隔でたる木状に、ガラス固定フレーム２を取付ける。このガラス固定フレーム２は、略角筒状の本体部３の底部に断面略Ｕ形の突出部４を形成し、本体部３の上部にＴ形状のガラス押え部５を一体に形成したものである。
【００１２】
このガラス固定フレーム２をガラス幅間隔で屋根フレーム１の上に配置して、突出部４を屋根フレーム１の上に固定し、本体部３の上部と、Ｔ形状のガラス押え部５との間の隙間に、左右のガラス６、６の端部を挿着してガラス農業用ハウスが組立てられている。
【００１３】
また１０はフイルム固定レールで、前記Ｔ形状のガラス押え部５に嵌合する断面コ字形をなす連結部１１と、この連結部１１の上部に一体に形成され上部を開口したフイルム固定部１２とを支柱部１３を介して一体にアルミニウムで押出し成型されたものである。
【００１４】
次に二重構造の屋根を施工する方法について説明すると、既設のガラス農業用ハウスは、ガラス固定フレーム２のＴ形状のガラス押え部５と本体部３の上部との間の隙間に、左右のガラス６、６の端部を挿着してガラス６が支持されている。このガラス６とＴ形状のガラス押え部５との間には僅かに隙間があるので、このＴ形状のガラス押え部５を覆うように断面コ字形をなす連結部１１を嵌合させて、ガラス固定フレーム２とフイルム固定レール１０とを連結する。
【００１５】
次にフイルム固定レール１０の上部が開口したフイルム固定部１２に、フッ素系の透明なプラスチックフイルム１４を順次挟み込んで面状に張り渡し、フイルム固定部１２内に、波形の押えスプリング１５を差し込んで押えてフイルム１４を固定してフイルム層１６を形成する。この結果、フイルム層１６とガラス６との間に断熱空間部１７が形成される。この場合、フイルム層１６とガラス６との間の断熱空間部１７の高さは２０ｍｍ程度が好ましい。
【００１６】
このように形成した農業用ハウスの断熱構造は、ガラス屋根の上に断熱空間部１７が形成されているので、気温の低い冬期間においても断熱効果が優れ、屋根面がガラスだけで形成されている従来のガラス農業用ハウスに比べて、使用する暖房費も５０％以上低減でき省エネルギー化を図ることができる。また断熱空間部１７が形成されているので、フイルム層１６やガラス６の内面での結露の発生が少なくなり、太陽光線の入射が妨げられにくく、朝方の温度上昇を速めることができる。
【００１７】
また気温の高い夏季でも断熱効果が優れており、小型の冷房機器を設置しても十分な冷房効果が得られ、いちごやランなどを採算の取れる経費で栽培することが可能となった。
【００１８】
図２は本考案の他の実施の形態を示すもので、Ｔ形状のガラス押え部５に嵌合する断面コ字形をなす連結部１１と、上部を開口したフイルム固定部１２とを一体にアルミニウムで押出し成型されたフイルム固定レール１０を用いて断熱空間部１７を形成したものである。
【００１９】
図３は本考案の異なる他の実施の形態を示すもので、図１の農業用ハウスの断熱構造において、一層目のフイルム層１６を支持する下段のフイルム固定レール１０の上に、上段のフイルム固定レール１０を重ねてビス１８で固定する。この後、この上段のフイルム固定レール１０のフイルム固定部１２に、透明なプラスチックフイルム１４を順次挟み込んで面状に張り渡し、フイルム固定部１２内に、波形の押えスプリング１５を差し込んで押えて上段のフイルム層１６を形成すると、上段のフイルム層１６と下段のフイルム層１６との間に上層の断熱空間部１７が形成される。この２層の断熱空間部１７、１７を形成したハウスは更に断熱性を向上させることができる。
【００２０】
実験によると平成１８年１１月から翌年平成１９年１月までの冬期の４カ月間に使用した暖房用の重油は３８，０８０リットルであったが、図３に示す２層の断熱空間部１７、１７を形成したものは、平成１９年１１月から翌年平成２０年１月までの冬期の４カ月間に使用した暖房用の重油は１９，９３０リットルで済み、５２％低減できたことが確認された。
【００２１】
なお上記説明では、既設のガラス農業用ハウスの上にフイルム固定レール１０を取付けて断熱空間部１７を形成した場合について示したが、新設の場合にも適用することができる。また上記説明では屋根面に断熱空間部１７を形成した場合について示したが壁面に形成しても良い。またフイルム固定レール１０をアルミニウムで形成した場合について示したがプラスチックで形成したものを用いても良い。
【図面の簡単な説明】
【００２２】
【図１】本考案の実施の一形態による農業用ハウスの断熱構造の要部を示す断面図である。
【図２】本考案の他の実施の形態による農業用ハウスの断熱構造の要部を示す断面図である。
【図３】本考案の異なる他の実施の形態による２層の断熱空間部を形成した農業用ハウスの断熱構造を示す断面図である。
【符号の説明】
【００２３】
１    屋根フレーム                                          
２    ガラス固定フレーム                                    
３    本体部                                                
４    突出部                                                
５    Ｔ形状のガラス押え部                                  
６    ガラス                                                
１０  フイルム固定レール                                    
１１  連結部                                                
１２  フイルム固定部                                        
１３  支柱部                                                
１４  フイルム                                              
１５  押えバネ      
１６  フイルム層    
１７  断熱空間部                                            
１８  ビス                                                  
【図１】
0003147733.tif 000003
【図２】
0003147733.tif 000004
【図３】
0003147733.tif 000005